(57)【要約】【課題】一つの文字コードに対して複数の対応フォントをインストールする。【解決手段】記憶装置に、文字コードがインストールされる文字コードセット実装エリアと、対応フォントがインストールされる文字コードセット対応フォント実装エリア３０１とを有し、文字コードセット実装エリアは、新たにインストールされる文字コードが格納される既存文字コードセット実装予備エリアを含み、文字コードセット対応フォント実装エリア３０１は、既存文字コードセット実装予備エリアに格納されている文字コードに対応したフォントが格納される既存文字コードセット対応フォント実装予備エリア３０３を含み、既存文字コードセット対応フォント実装予備エリア３０３は、既存文字コードセット実装予備エリアよりも多数設定される。【選択図】図３
2010257294.tif 000002
【特許請求の範囲】
【請求項１】
公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機であって、
前記文字コード及び前記対応フォントを格納する記憶装置と、
該記憶装置を制御する制御装置と、
を備え、
前記記憶装置は、前記文字コードがインストールされる領域である文字コードセット実装エリアと、前記対応フォントがインストールされる領域である文字コードセット対応フォント実装エリアとを有し、
前記文字コードセット実装エリアは、既にインストールされている文字コードが格納される領域である既存文字コードセット実装エリアと、前記既にインストールされている文字コードとは別に新たにインストールされる文字コードが格納される領域である既存文字コードセット実装予備エリアとを含み、
前記文字コードセット対応フォント実装エリアは、前記既存文字コードセット実装エリアに格納されている文字コードに対応したフォントが格納される既存文字コードセット対応フォント実装エリアと、前記既存文字コードセット実装予備エリアに格納されている文字コードに対応したフォントが格納される既存文字コードセット対応フォント実装予備エリアとを含み、
前記既存文字コードセット対応フォント実装予備エリアは、前記既存文字コードセット実装予備エリアよりも多数設定され、
前記制御装置は、新たな文字コードをダウンロードする際に、前記既存文字コードセット実装予備エリアの存在を確認し、前記既存文字コードセット実装予備エリアが存在する場合は、更に前記既存文字コードセット対応フォント実装予備エリアの存在を確認し、前記既存文字コードセット対応フォント実装予備エリアが存在すると判断された場合に該新たな文字コードのダウンロードを行うことを特徴とする携帯電話機。
【請求項２】
前記文字コードセット実装エリアは、外字に相当する文字コードが格納される領域である文字コード私用領域を更に有し、
前記文字コードセット対応フォント実装エリアは、前記文字コード私用領域に格納されている文字コードに対応しているフォントが格納される私用領域文字コード対応フォントエリアを更に有し、
前記私用領域文字コード対応フォントエリアは、前記文字コード私用領域よりも多数設定され、
前記制御装置は、新たな文字コードをダウンロードする際に、該新たな文字コードが外字か否かを確認し、該新たな文字コードが外字と判断された場合に前記文字コード私用領域の存在を確認し、前記文字コード私用領域が存在すると判断された場合に前記私用領域文字コード対応フォントエリアの存在を確認し、前記私用領域文字コード対応フォントエリアが存在すると判断された場合に該新たな文字コードのダウンロード行うことを特徴とする請求項１に記載の携帯電話機。
【請求項３】
公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機の文字コード認識及び実装の方法であって、
前記携帯電話機の記憶装置に、前記文字コードがインストールされる領域である文字コードセット実装エリアと、前記対応フォントがインストールされる領域である文字コードセット対応フォント実装エリアとを設定する手順と、
前記文字コードセット実装エリアに、既にインストールされている文字コードが格納される領域である既存文字コードセット実装エリアと、前記既にインストールされている文字コードとは別に新たにインストールされる文字コードが格納される領域である既存文字コードセット実装予備エリアとを設定する手順と、
前記文字コードセット対応フォント実装エリアに、前記既存文字コードセット実装エリアに格納されている文字コードに対応したフォントが格納される既存文字コードセット対応フォント実装エリアを設定する手順と、
前記文字コードセット対応フォント実装エリアに、前記既存文字コードセット実装予備エリアに格納されている文字コードに対応したフォントが格納される既存文字コードセット対応フォント実装予備エリアを、前記既存文字コードセット実装予備エリアよりも多数設定する手順と、
前記携帯電話機が新たな文字コードをダウンロードする際に、前記既存文字コードセット実装予備エリアの存在を確認する手順と、
前記既存文字コードセット実装予備エリアが存在する場合は、更に前記既存文字コードセット対応フォント実装予備エリアの存在を確認する手順と、
前記既存文字コードセット対応フォント実装予備エリアが存在すると判断された場合に該新たな文字コードのダウンロードを行う手順と、
を備えることを特徴とする携帯電話機の文字コード認識及び実装の方法。
【請求項４】
前記文字コードセット実装エリアに、外字に相当する文字コードが格納される領域である文字コード私用領域を設定する手順と、
前記文字コードセット対応フォント実装エリアに、前記文字コード私用領域に格納されている文字コードに対応しているフォントが格納される私用領域文字コード対応フォントエリアを、前記文字コード私用領域よりも多数設定する手順と、
前記携帯電話機が、新たな文字コードをダウンロードする際に、該新たな文字コードが外字か否かを確認する手順と、
該新たな文字コードが外字と判断された場合に前記文字コード私用領域の存在を確認する手順と、
前記文字コード私用領域が存在すると判断された場合に前記私用領域文字コード対応フォントエリアの存在を確認する手順と、
前記私用領域文字コード対応フォントエリアが存在すると判断された場合に該新たな文字コードのダウンロードを行う手順と、
を更に有することを特徴とする請求項３に記載の携帯電話機の文字コード認識及び実装の方法。
【請求項５】
公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機の文字コード認識及び実装のプログラムであって、
前記携帯電話機の記憶装置に、前記文字コードがインストールされる領域である文字コードセット実装エリアと、前記対応フォントがインストールされる領域である文字コードセット対応フォント実装エリアとを設定する処理と、
前記文字コードセット実装エリアに、既にインストールされている文字コードが格納される領域である既存文字コードセット実装エリアと、前記既にインストールされている文字コードとは別に新たにインストールされる文字コードが格納される領域である既存文字コードセット実装予備エリアとを設定する処理と、
前記文字コードセット対応フォント実装エリアに、前記既存文字コードセット実装エリアに格納されている文字コードに対応したフォントが格納される既存文字コードセット対応フォント実装エリアを設定する処理と、
前記文字コードセット対応フォント実装エリアに、前記既存文字コードセット実装予備エリアに格納されている文字コードに対応したフォントが格納される既存文字コードセット対応フォント実装予備エリアを、前記既存文字コードセット実装予備エリアよりも多数設定する処理と、
前記携帯電話機が新たな文字コードをダウンロードする際に、前記既存文字コードセット実装予備エリアの存在を確認する処理と、
前記既存文字コードセット実装予備エリアが存在する場合は、更に前記既存文字コードセット対応フォント実装予備エリアの存在を確認する処理と、
前記既存文字コードセット対応フォント実装予備エリアが存在すると判断された場合に該新たな文字コードのダウンロードを行う処理と、
を前記携帯電話機に実行させることを特徴とする携帯電話機の文字コード認識及び実装のプログラム。
【請求項６】
前記文字コードセット実装エリアに、外字に相当する文字コードが格納される領域である文字コード私用領域を設定する処理と、
前記文字コードセット対応フォント実装エリアに、前記文字コード私用領域に格納されている文字コードに対応しているフォントが格納される私用領域文字コード対応フォントエリアを、前記文字コード私用領域よりも多数設定する処理と、
前記携帯電話機が、新たな文字コードをダウンロードする際に、該新たな文字コードが外字か否かを確認する処理と、
該新たな文字コードが外字と判断された場合に前記文字コード私用領域の存在を確認する処理と、
前記文字コード私用領域が存在すると判断された場合に前記私用領域文字コード対応フォントエリアの存在を確認する処理と、
前記私用領域文字コード対応フォントエリアが存在すると判断された場合に該新たな文字コードのダウンロードを行う処理と、
を更に前記携帯電話機に実行させることを特徴とする請求項５に記載の携帯電話機の文字コード認識及び実装のプログラム。
【発明の詳細な説明】
【技術分野】
【０００１】
本発明は、携帯電話機、携帯電話機の文字コード認識及び実装の方法及びそのプログラムに関する。
【背景技術】
【０００２】
従来の文字コード認識、表示システムでは、特定の文字コードのホームページのみが正常に表示できているが、それ以外の文字コードのホームページを表示するとき、表示したいホームページの文字コードを持つ新しい携帯電話機が必要となる。
【０００３】
そこで、特許文献１では、随時インターネットに接続できるユーザの携帯電話機によりホームページ提供者サーバーへアクセスするとき、アクセス先のホームページの文字コードを判定し、その判定結果に基づいて携帯電話機が有する文字コードを選択して、ホームページの内容を表示する。更に、表示したいホームページの文字コードがユーザの携帯電話機に存しない場合には、インターネットを介して文字コード提供者サーバーから必要な文字コードを新たにダウンロードできる、携帯電話機を利用した自動文字コード認識、表示システム、その方法及びそのプログラムに係る発明が開示されている。
【先行技術文献】
【特許文献】
【０００４】
【特許文献１】特開２００５−２９３０７８号公報
【発明の概要】
【発明が解決しようとする課題】
【０００５】
しかしながら、特許文献１に開示されている文字コード認識、表示システムでは、アクセス先の文字コードを判定し、未登録文字コードであればサーバーから必要な文字コードを入手して表示することができるが、ダウンロードした文字コード及びフォントの格納領域を分けて格納する領域別格納手段を持っていないため、一つの文字コードに対して複数の対応フォントをダウンロードし、インストールすることができないという問題があった。
【０００６】
本発明は上記に鑑みてなされたもので、一つの文字コードに対して複数の対応フォントをダウンロードしてインストールすることができる携帯電話機、携帯電話機の文字コード認識及び実装の方法及びそのプログラムを提供することを目的とする。
【課題を解決するための手段】
【０００７】
上述の問題を解決するため、本発明に係る携帯電話機は、公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機であって、前記文字コード及び前記対応フォントを格納する記憶装置と、該記憶装置を制御する制御装置と、を備え、前記記憶装置は、前記文字コードがインストールされる領域である文字コードセット実装エリアと、前記対応フォントがインストールされる領域である文字コードセット対応フォント実装エリアとを有し、前記文字コードセット実装エリアは、既にインストールされている文字コードが格納される領域である既存文字コードセット実装エリアと、前記既にインストールされている文字コードとは別に新たにインストールされる文字コードが格納される領域である既存文字コードセット実装予備エリアとを含み、前記文字コードセット対応フォント実装エリアは、前記既存文字コードセット実装エリアに格納されている文字コードに対応したフォントが格納される既存文字コードセット対応フォント実装エリアと、前記既存文字コードセット実装予備エリアに格納されている文字コードに対応したフォントが格納される既存文字コードセット対応フォント実装予備エリアとを含み、前記既存文字コードセット対応フォント実装予備エリアは、前記既存文字コードセット実装予備エリアよりも多数設定され、前記制御装置は、新たな文字コードをダウンロードする際に、前記既存文字コードセット実装予備エリアの存在を確認し、前記既存文字コードセット実装予備エリアが存在する場合は、更に前記既存文字コードセット対応フォント実装予備エリアの存在を確認し、前記既存文字コードセット対応フォント実装予備エリアが存在すると判断された場合に該新たな文字コードのダウンロードを行うことを特徴とする。
【０００８】
上述の問題を解決するため、本発明に係る携帯電話機の文字コード認識及び実装の方法は、公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機の文字コード認識及び実装の方法であって、前記携帯電話機の記憶装置に、前記文字コードがインストールされる領域である文字コードセット実装エリアと、前記対応フォントがインストールされる領域である文字コードセット対応フォント実装エリアとを設定する手順と、前記文字コードセット実装エリアに、既にインストールされている文字コードが格納される領域である既存文字コードセット実装エリアと、前記既にインストールされている文字コードとは別に新たにインストールされる文字コードが格納される領域である既存文字コードセット実装予備エリアとを設定する手順と、前記文字コードセット対応フォント実装エリアに、前記既存文字コードセット実装エリアに格納されている文字コードに対応したフォントが格納される既存文字コードセット対応フォント実装エリアを設定する手順と、前記文字コードセット対応フォント実装エリアに、前記既存文字コードセット実装予備エリアに格納されている文字コードに対応したフォントが格納される既存文字コードセット対応フォント実装予備エリアを、前記既存文字コードセット実装予備エリアよりも多数設定する手順と、前記携帯電話機が新たな文字コードをダウンロードする際に、前記既存文字コードセット実装予備エリアの存在を確認する手順と、前記既存文字コードセット実装予備エリアが存在する場合は、更に前記既存文字コードセット対応フォント実装予備エリアの存在を確認する手順と、前記既存文字コードセット対応フォント実装予備エリアが存在すると判断された場合に該新たな文字コードのダウンロードを行う手順と、を備えることを特徴とする。
【０００９】
上述の問題を解決するため、本発明に係る携帯電話機の文字コード認識及び実装のプログラムは、公衆無線通信網を介してインターネットに接続し、ホームページ提供者サーバーからホームページの表示に必要な情報をダウンロードし、文字コード提供者サーバーから該ホームページの表示に必要な文字コード及び該文字コードに対応した対応フォントを自動的に認識してダウンロードする携帯電話機の文字コード認識及び実装のプログラムであって、前記携帯電話機の記憶装置に、前記文字コードがインストールされる領域である文字コードセット実装エリアと、前記対応フォントがインストールされる領域である文字コードセット対応フォント実装エリアとを設定する処理と、前記文字コードセット実装エリアに、既にインストールされている文字コードが格納される領域である既存文字コードセット実装エリアと、前記既にインストールされている文字コードとは別に新たにインストールされる文字コードが格納される領域である既存文字コードセット実装予備エリアとを設定する処理と、前記文字コードセット対応フォント実装エリアに、前記既存文字コードセット実装エリアに格納されている文字コードに対応したフォントが格納される既存文字コードセット対応フォント実装エリアを設定する処理と、前記文字コードセット対応フォント実装エリアに、前記既存文字コードセット実装予備エリアに格納されている文字コードに対応したフォントが格納される既存文字コードセット対応フォント実装予備エリアを、前記既存文字コードセット実装予備エリアよりも多数設定する処理と、前記携帯電話機が新たな文字コードをダウンロードする際に、前記既存文字コードセット実装予備エリアの存在を確認する処理と、前記既存文字コードセット実装予備エリアが存在する場合は、更に前記既存文字コードセット対応フォント実装予備エリアの存在を確認する処理と、前記既存文字コードセット対応フォント実装予備エリアが存在すると判断された場合に該新たな文字コードのダウンロードを行う処理と、を前記携帯電話機に実行させることを特徴とする。
【発明の効果】
【００１０】
本発明によれば、一つの文字コードに対して複数の対応フォントをダウンロードしてインストールすることができる携帯電話機、携帯電話機の文字コード認識及び実装の方法及びそのプログラムを提供することができる。
【図面の簡単な説明】
【００１１】
【図１】本発明の第１の実施の形態に係る携帯電話機の自動文字コード認識及び実装のシステムの構成図である。
【図２】本発明の第１の実施の形態に係る携帯電話機の文字コードセット実装エリアのイメージ図である。
【図３】本発明の第１の実施の形態に係る携帯電話機の文字コードセット対応フォント実装エリアのイメージ図である。
【図４】本発明の第１の実施の形態に係る携帯電話機の動作を示すフローチャート図である。
【図５】本発明の第２の実施の形態に係る携帯電話機の文字コードセット実装エリアのイメージ図である。
【図６】本発明の第２の実施の形態に係る携帯電話機の文字コードセット対応フォント実装エリアのイメージ図である。
【図７】本発明の第２の実施の形態に係る携帯電話機の全体の動作を示すフローチャート図である。
【発明を実施するための形態】
【００１２】
［第１の実施の形態］
以下、図面を参照しながら本発明の第１の実施の形態に係る携帯電話機について詳細に説明する。図１は、本発明の第１の実施の形態に係る携帯電話機の自動文字コード認識及び実装のシステムの構成図である。
【００１３】
図１を参照すると、本発明の第１の実施の形態に係る携帯電話機の自動文字コード認識及び実装のシステムは、携帯電話機１０と、公衆無線通信網２０と、それにつながるインターネット３０と、これに接続されるホームページ提供者サーバー４０及び文字コード提供者サーバー５０と、を備える。
【００１４】
なお、図１において、インターネット３０で図示されている通信網は、インターネット以外の通信網でもよい。又、ホームページ提供者サーバー４０及び文字コード提供者サーバー５０は、一つのサーバーで構成されていてもよい。
【００１５】
携帯電話機１０は、公衆無線通信網２０を介してインターネット３０に接続する手段を有する携帯電話装置であり、ホームページ提供者サーバー４０及び文字コード提供者サーバー５０から、インターネット３０を通じてホームページの情報であるホームページデータ及び文字コード（対応フォント含む）の提供を受ける手段を有する。
【００１６】
ホームページ提供者サーバー４０は、携帯電話機１０からホームページへアクセスするためのデータであるアクセス用データを受信し、このアクセス用データに基づいてホームページを携帯電話機１０に表示するためのデータであるホームページデータを作成するホームページデータ処理を行ったあと、生成されたホームページデータをインターネット３０を介して携帯電話機１０に送信する手段を有する。
【００１７】
文字コード提供者サーバー５０は、ホームページを開設し、携帯電話機１０の所持者がいつでも利用できる文字コード（対応フォント含む）データの登録及び携帯電話機１０の所持者からの文字コード（対応フォント含む）ダウンロード要求に応じて必要な文字コード（対応フォント含む）データの提供を行う手段を有する。
【００１８】
携帯電話機１０は、インターネット３０を介してホームページ提供者サーバー４０及び文字コード提供者サーバー５０にアクセスし、ホームページ及び文字コード（対応フォントを含む）のダウンロードに係る画面を表示する手段を有する。
【００１９】
又、携帯電話機１０はホームページ提供者サーバー４０へアクセスするとき、ホームページ提供者サーバー４０が有するホームページへアクセスするためのデータであるアクセス用データを送信する手段と、ホームページ提供者サーバー４０から携帯電話機１０にホームページを表示するためのデータであるホームページデータを受信し、このホームページの文字コードを自動的に判定する手段と、そのホームページの文字コードが、携帯電話機１０が既に有する文字コードかどうかを自動的に認識する手段を有する。
【００２０】
更に携帯電話機１０は、インストール済みの文字コード及びその対応フォントが格納されるフラッシュメモリ等の記憶装置を有する。
【００２１】
ここで、図２は、本発明の第１の実施の形態に係る携帯電話機の文字コードセット実装エリア２０１のイメージ図である。この文字コードセット実装エリア２０１は、携帯電話機１０が有するフラッシュメモリ等の記憶装置に設けられた領域であって、前述の文字コードがインストールされる。
【００２２】
図２を参照すると、携帯電話機１０の文字コードセット実装エリア２０１は、既存文字コードセット実装エリア２０２と既存文字コードセット実装予備エリア２０３とを有する。
【００２３】
既存文字コードセット実装エリア２０２は、既にインストールされている文字コードが格納される領域である。
【００２４】
一方で、既存文字コードセット実装予備エリア２０３は、既にインストールされている文字コードとは別に新たにインストールされる文字コードが格納される領域である。
【００２５】
既存文字コードセット実装予備エリア２０３は、既存の文字コードが格納されている既存文字コードセット実装エリア２０２とは別個独立の領域であるので、既にインストールされている文字コードの干渉を受けずに、新たな文字コードを追加するようにインストールすることができる。
【００２６】
図３は、本発明の第１の実施の形態に係る携帯電話機の文字コードセット対応フォント実装エリア３０１のイメージ図である。この文字コードセット対応フォント実装エリア３０１は、携帯電話機１０が有するフラッシュメモリ等の記憶装置に設けられた領域であって、前述の文字コードに対応した対応フォントがインストールされる。
【００２７】
図３を参照すると、携帯電話機１０の文字コードセット対応フォント実装エリア３０１は、既存文字コードセット対応フォント実装エリア３０２と既存文字コードセット対応フォント実装予備エリア３０３を有する。
【００２８】
既存文字コードセット対応フォント実装エリア３０２は、既にインストールされている対応フォントが格納される領域であって、格納されているフォントは、既存文字コードセット実装エリア２０２に格納されている文字コードに対応している。
【００２９】
既存文字コードセット対応フォント実装エリア３０２は、既存文字コードセット実装エリア２０２と同数でもよいが、既存文字コードセット実装エリア２０２よりも多数設定されることにより、一つの文字コードに対して複数の対応フォントをダウンロードし、インストールすることができるようになる。
【００３０】
既存文字コードセット対応フォント実装予備エリア３０３は、既にインストールされている対応フォントとは別に新たにインストールされるフォントが格納される領域であって、格納されるフォントは、既存文字コードセット実装予備エリア２０３に格納されている文字コードに対応している。
【００３１】
既存文字コードセット対応フォント実装予備エリア３０３は、既存文字コードセット実装予備エリア２０３と同数でもよいが、既存文字コードセット実装予備エリア２０３よりも多数設定することにより、一つの文字コードに対して複数の対応フォントをダウンロードし、インストールすることができるようになる。
【００３２】
又、各既存文字コードセット対応フォント実装予備エリア３０３は、既存の対応フォントが格納されている既存文字コードセット対応フォント実装エリア３０２及び他の既存文字コードセット対応フォント実装予備エリア３０３とは別個独立の領域であるので、既にインストールされている対応フォントの干渉を受けずに、新たなフォントを既存文字コードセット実装予備エリア２０３に格納されている文字コードに対応したフォントとして、追加するようにインストールすることができる。
【００３３】
更に携帯電話機１０は、前述の記憶装置を制御する制御装置を有し、この制御装置は、携帯電話機１０が新たな文字コードをダウンロードする際に、既存文字コードセット実装予備エリア２０３の存在を確認し、既存文字コードセット実装予備エリア２０３が存在する場合は、更に既存文字コードセット対応フォント実装予備エリア３０３の存在を確認し、既存文字コードセット対応フォント実装予備エリア３０３が存在すると判断された場合に新たな文字コードのダウンロードを行う。
【００３４】
［第１の実施の形態の動作の説明］
次に、本発明の第１の実施の形態に係る携帯電話機の動作について、図４を参照して詳細に説明する。
【００３５】
図４は、本発明の第１の実施の形態に係る携帯電話機の動作を示すフローチャート図である。
【００３６】
図４のフローチャートによると、携帯電話機１０を持つユーザが、公衆無線通信網２０を介して、インターネット３０とつながっているホームページ提供者サーバー４０にアクセスする（ステップＡ１）とき、ホームページに使用されている文字コードの全て又は一部が携帯電話１０にインストール済みではないと携帯電話機１０が判断した場合に、携帯電話機１０がユーザに公衆無線通信網２０を介してインターネット３０とつながっている文字コード提供者サーバー５０よりインストール済みではない部分の文字コード(対応フォント含む)を追加ダウンロードするかどうかの選択画面を提供する（ステップＡ２）。
【００３７】
ユーザが携帯電話機１０に文字コード(対応フォント含む)の追加ダウンロードを選択した場合（ステップＡ２：Ｙｅｓ）、携帯電話機１０が自動的に既存文字コードセット実装予備エリアがあるかどうかの確認を行う（ステップＡ３）。
【００３８】
既存文字コードセット実装予備エリアありの場合（ステップＡ３：Ｙｅｓ）、携帯電話機１０が自動的に既存文字コードセット対応フォント実装予備エリアがあるかどうかの確認を行う（ステップＡ４）。
【００３９】
そして、既存文字コードセット対応フォント実装予備エリアありの場合（ステップＡ４：Ｙｅｓ）、携帯電話機１０が該当文字コードのダウンロードの処理を行い（ステップＡ５）、携帯電話機１０のインストール済みではない部分の該当文字コードのダウンロードがＯＫ（図４にも記した「ＯＫ／ＮＧ」は、それぞれダウンロードの処理結果「成功／不成功」を意味する。以下同様）の場合に該当文字コード対応フォントのダウンロードの処理を行う（ステップＡ６）。そして、携帯電話機１０のインストール済みではない部分の該当文字コード対応フォントダウンロードがＯＫの場合に携帯電話機１０のインストール済み文字コードセット(ダウンロードされた新しい部分文字コード及び対応フォント含む）でホームページを表示する（ステップＡ７）。
【００４０】
本発明の第１の実施の形態において、自動文字コード認識、表示システムの処理動作を実行するためのプログラム等を、データとしてコンピュータの磁気ディスクや光ディスク等の記録媒体（図示せず）に記録するようにし、記録されたデータを携帯電話機にインストールして自動文字コード認識、表示システムを動作させるために用いる。
【００４１】
このように、本発明による自動文字コード認識、表示システムを動作させるデータを記録媒体に記録させ、この記録媒体のデータを携帯電話機にインストールすることにより自動文字コード認識、表示システムの機能が実現できるようになる。
【００４２】
このインストールによって、携帯電話機１０の記憶装置に、文字コードがインストールされる領域である文字コードセット実装エリア２０１と、対応フォントがインストールされる領域である文字コードセット対応フォント実装エリア３０１とが設定される。
【００４３】
次いで、文字コードセット実装エリア２０１に、既にインストールされている文字コードが格納される領域である既存文字コードセット実装エリア２０２と、既にインストールされている文字コードとは別に新たにインストールされる文字コードが格納される領域である既存文字コードセット実装予備エリア２０３とが設定される。
【００４４】
続いて、文字コードセット対応フォント実装エリア３０１に、既存文字コードセット実装エリア２０２に格納されている文字コードに対応したフォントが格納される既存文字コードセット対応フォント実装エリア３０２と、既存文字コードセット実装予備エリア２０３に格納されている文字コードに対応したフォントが格納される既存文字コードセット対応フォント実装予備エリア３０３とが設定される。
【００４５】
又、このインストールによって、携帯電話機１０の制御部に、携帯電話機１０が新たな文字コードをダウンロードする際に、既存文字コードセット実装予備エリア２０３の存在を確認し、既存文字コードセット実装予備エリア２０３が存在する場合は、更に既存文字コードセット対応フォント実装予備エリア３０３の存在を確認し、既存文字コードセット対応フォント実装予備エリア３０３が存在すると判断された場合に新たな文字コードのダウンロードを行う機能が実装されるようにしてもよい。
【００４６】
［第２の実施の形態］
以下、図面を参照しながら本発明の第２の実施の形態に係る携帯電話機について詳細に説明する。ただし、以下の説明では、上述した第１の実施の形態と同様な構成についての重複する説明は省略する。
【００４７】
ここで、図５は、本発明の第２の実施の形態に係る携帯電話機の文字コードセット実装エリア５０１のイメージ図である。この文字コードセット実装エリア５０１は、携帯電話機１０が有するフラッシュメモリ等の記憶装置に設けられた領域であって、前述の文字コードがインストールされる。
【００４８】
図５を参照すると、携帯電話機１０の文字コードセット実装エリア５０１は、既存文字コードセット実装エリア５０２と既存文字コードセット実装予備エリア５０３と文字コード私用領域５０４とを有する。
【００４９】
図５の既存文字コードセット実装エリア５０２及び既存文字コードセット実装予備エリア５０３は、それぞれ上述した第１の実施の形態での既存文字コードセット実装エリア２０２及び既存文字コードセット実装予備エリア２０３と同様であるので、説明を省略する。
【００５０】
文字コード私用領域５０４は、外字に相当する文字コードが格納される領域である。文字コード私用領域５０４は、既存文字コードセット実装エリア５０２及び既存文字コードセット実装予備エリア５０３とは別個独立の領域であるので、既にインストールされている文字コードの干渉を受けずに、外字を新たな文字コードとして追加するようにインストールすることができる。
【００５１】
図６は、本発明の第２の実施の形態に係る携帯電話機の文字コードセット対応フォント実装エリア６０１のイメージ図である。この文字コードセット対応フォント実装エリア６０１は、携帯電話機１０が有するフラッシュメモリ等の記憶装置に設けられた領域であって、前述の文字コードに対応した対応フォントがインストールされる。
【００５２】
図６を参照すると、携帯電話機１０の文字コードセット対応フォント実装エリア６０１は、既存文字コードセット対応フォント実装エリア６０２と既存文字コードセット対応フォント実装予備エリア６０３と私用領域文字コード対応フォントエリア６０４とを有する。
【００５３】
既存文字コードセット対応フォント実装エリア６０２及び既存文字コードセット対応フォント実装予備エリア６０３は、それぞれ上述した第１の実施の形態での既存文字コードセット対応フォント実装エリア３０２及び既存文字コードセット対応フォント実装予備エリア３０３と同様であるので、説明を省略する。
【００５４】
私用領域文字コード対応フォントエリア６０４は、既にインストールされている対応フォントとは別に新たにインストールされるフォントが格納される領域であって、格納されるフォントは、文字コード私用領域５０４に格納されている文字コードに対応している。
【００５５】
私用領域文字コード対応フォントエリア６０４は、文字コード私用領域５０４と同数でもよいが、文字コード私用領域５０４よりも多数設定することにより、一つの文字コードに対して複数の対応フォントをダウンロードし、インストールすることができるようになる。
【００５６】
又、各私用領域文字コード対応フォントエリア６０４は、既存の対応フォントが格納されている既存文字コードセット対応フォント実装エリア６０２、既存文字コードセット対応フォント実装予備エリア６０３及び他の私用領域文字コード対応フォントエリア６０４とは別個独立の領域であるので、既にインストールされている対応フォントの干渉を受けずに、新たなフォントを文字コード私用領域５０４に格納されている外字の文字コードに対応したフォントとして、追加するようにインストールすることができる。
【００５７】
更に携帯電話機１０は、前述の記憶装置を制御する制御装置を有し、この制御装置は、携帯電話機１０が新たな文字コードをダウンロードする際に、この新たな文字コードが外字か否かを確認し、この新たな文字コードが外字と判断された場合に文字コード私用領域５０４の存在を確認し、文字コード私用領域５０４が存在すると判断された場合に私用領域文字コード対応フォントエリア６０４の存在を確認し、私用領域文字コード対応フォントエリア６０４が存在すると判断された場合に新たな文字コードのダウンロード行う。
【００５８】
上述の第１の実施の形態においては、ユーザが携帯電話機１０に文字コード(対応フォント含む)の追加ダウンロードを選択した場合に携帯電話機１０が自動的に既存文字コードセット実装予備エリアがあるかどうかの確認を行い（ステップＡ３）、既存文字コードセット実装予備エリアありの場合に自動的に既存文字コードセット対応フォント実装予備エリアがあるかどうかの確認を行う（ステップＡ４）。そして、既存文字コードセット対応フォント実装予備エリアありの場合に該当文字コードのダウンロードの処理を行う（ステップＡ５）ことを例に説明した。
【００５９】
これに対して、本実施の形態では、図７に示したように、以下のような動作を行う。ここで、図７は、本発明の第２の実施の形態に係る携帯電話機の全体の動作を示すフローチャート図である。
【００６０】
ユーザが携帯電話機１０に文字コード(対応フォント含む)の追加ダウンロードを選択した場合に携帯電話機１０が自動的に該当文字コードは外字かどうかの確認を行い（ステップＢ３）、該当文字コードは外字と判断された場合（ステップＢ３：Ｙｅｓ）、携帯電話機１０が文字コード私用領域（例えばUnicodeのＰＵＡ（Private Use Area）領域）があるかどうかの確認を行う（ステップＢ６）。
【００６１】
文字コード私用領域ありの場合（ステップＢ６：Ｙｅｓ）、携帯電話機１０が自動的に私用領域文字コード対応フォントエリアがあるかどうかの確認を行う（ステップＢ７）。
【００６２】
私用領域文字コード対応フォントエリアありの場合（ステップＢ７：Ｙｅｓ）、携帯電話機１０が該当文字コードのダウンロードの処理を行う（ステップＢ８）。
【００６３】
又、本発明の第２の実施の形態は、上記以外の部分に関しては、全く第１の実施の形態と同じものとする。
【００６４】
本発明の第２の実施の形態も、上述の第１の実施の形態同様に、自動文字コード認識、表示システムの処理動作を実行するためのプログラム等を、データとしてコンピュータの磁気ディスクや光ディスク等の記録媒体（図示せず）に記録するようにし、記録されたデータを携帯電話機にインストールして自動文字コード認識、表示システムを動作させるために用いる。
【００６５】
このインストールによって、文字コードセット実装エリア５０１に、外字に相当する文字コードが格納される領域である文字コード私用領域５０４が更に設定される。
【００６６】
次いで、文字コードセット対応フォント実装エリア６０１に、文字コード私用領域５０４に格納されている文字コードに対応しているフォントが格納される私用領域文字コード対応フォントエリア６０４が更に設定される。
【００６７】
又、このインストールによって、携帯電話機１０の制御部に、新たな文字コードをダウンロードする際に、この新たな文字コードが外字か否かを確認し、この新たな文字コードが外字と判断された場合に文字コード私用領域５０４の存在を確認し、文字コード私用領域５０４が存在すると判断された場合に私用領域文字コード対応フォントエリア６０４の存在を確認し、私用領域文字コード対応フォントエリア６０４が存在すると判断された場合に新たな文字コードのダウンロード行う機能が実装されるようにしてもよい。
【００６８】
なお、上述の第１の実施の形態及び第２の実施の形態は、装置の発明のみならず、方法の発明及びプログラムの発明としても実施できる。
【産業上の利用可能性】
【００６９】
本発明は、インターネットへの接続機能を有する携帯電話機のみならず、その他の形態情報端末等のインターネットを介した通信機能を有する機器で利用することができる。
【符号の説明】
【００７０】
１０  携帯電話機
２０  公衆無線通信網
３０  インターネット
４０  ホームページ提供者サーバー
５０  文字コード提供者サーバー
２０１  文字コードセット実装エリア
２０２  既存文字コードセット実装エリア
２０３  既存文字コードセット実装予備エリア
３０１  文字コードセット対応フォント実装エリア
３０２  既存文字コードセット対応フォント実装エリア
３０３  既存文字コードセット対応フォント実装予備エリア
５０１  文字コードセット実装エリア
５０２  既存文字コードセット実装エリア
５０３  既存文字コードセット実装予備エリア
５０４  文字コード私用領域
６０１  文字コードセット対応フォント実装エリア
６０２  既存文字コードセット対応フォント実装エリア
６０３  既存文字コードセット対応フォント実装予備エリア
６０４  私用領域文字コード対応フォントエリア
【図１】
2010257294.tif 000003
【図２】
2010257294.tif 000004
【図３】
2010257294.tif 000005
【図４】
2010257294.tif 000006
【図５】
2010257294.tif 000007
【図６】
2010257294.tif 000008
【図７】
2010257294.tif 000009